(57)【要約】【課題】  ファインダー光学系に液晶表示素子を組み込んで、液晶表示と被写体の実像とを同時に視認することができる一眼レフカメラにおいて、カラー画像を表示することが簡単な構成で実現する。【解決手段】  被写体の実像を結像させる表面を有する光拡散板と、光拡散板の表面近傍に配置された液晶表示素子と、光拡散板の表面に結像した実像と液晶表示素子による表示とを視認可能とする接眼レンズを有するファインダー光学系を備えるとともに、撮像レンズと液晶表示素子との間の光路内の光束からはずれた位置に、液晶表示素子を照射する光源を設ける構成とした。【選択図】  図１
2008076459.tif 000002
【特許請求の範囲】
【請求項１】
被写体の実像を撮像レンズを介して結像させる表面を有する光拡散板と、前記光拡散板の表面近傍に配置された液晶表示素子と、前記光拡散板の表面に結像した実像と前記液晶表示素子による表示とを視認可能とする接眼レンズを有するファインダー光学系を備えるとともに、
前記撮像レンズと前記液晶表示素子との間の光路内の光束からはずれた位置に、前記液晶表示素子を照射する光源が設けられたことを特徴とする一眼レフカメラ。
【請求項２】
前記光拡散板は、空気層を介さず前記液晶表示素子と密着されていることを特徴とする請求項１に記載の一眼レフカメラ。
【請求項３】
前記光拡散板は、光透過性の無着色粒子を分散含有して光拡散性を示す光透過性の粘着層からなり前記液晶表示素子と一体化されていることを特徴とする請求項１に記載の一眼レフカメラ。
【請求項４】
前記光源と前記液晶表示素子との間の光路内であって、前記撮像レンズと前記液晶表示素子との間の光路外の位置に第一偏光板が配置されていることを特徴とする請求項１〜３のいずれか一項に記載の一眼レフカメラ。
【請求項５】
前記液晶表示素子から前記接眼レンズを通過する光路内に第二偏光板が設けられたことを特徴とする請求項４に記載の一眼レフカメラ。
【請求項６】
第二偏光板の代わりに、前記液晶表示素子から前記接眼レンズを通過する光路内にゲスト・ホストモードの液晶セルが配置されていることを特徴とする請求項５に記載の一眼レフカメラ。
【請求項７】
前記撮像レンズと前記液晶表示素子との間の光路内に、サバール板を配置したことを特徴とする請求項１〜６のいずれか一項に記載の一眼レフカメラ。
【請求項８】
前記光源は特定の１色のみで発光し、特定の１色に対応する画像を表示しているフィールドの期間以外のフィールド期間に、前記撮像レンズを介して被写体の実像を前記拡散板に結像させ、前記光源の特定の１色に対応する画像と前記撮像レンズを介した被写体の実像を、時間混色により合成表示を得ることを特徴とする請求項１〜７のいずれか一項に記載の一眼レフカメラ。
【発明の詳細な説明】
【技術分野】
【０００１】
本発明は、液晶表示素子による表示と、撮像しようとする被写体とをファインダー内で同時に視認可能とする一眼レフカメラに関する。
【背景技術】
【０００２】
一眼レフカメラにより撮像する場合に、ファインダーを覗いて被写体を捕らえているときには、撮影操作方法や撮影効果等が記載された取扱説明書を確認することができない。取扱説明書を参照するためには一度被写体から目を外さなければならず、再びカメラのファインダーを覗いて被写体を捕らえなければならない。これを繰り返して行うことはきわめて煩雑であることから、ファインダー内に被写体を捕らえながら、その撮影方法や撮影効果等も同時に読むことができるように、ファインダー内に液晶表示素子を組み込み、撮影方法等を液晶表示素子により表示して、被写体を捕らえながら同時に撮影方法等も参照できるようにした一眼レフカメラが知られている（例えば、特許文献１を参照）。
【０００３】
図７は、特許文献１に記載された、透過型液晶モジュール１０５をファインダー光学系に組み込んだ一眼レフカメラの内部簡略図である。撮像レンズ１０１を介して入射した被写体の実像は、跳ね上げミラー１０７により反射されてピント板１０６に映し出される。ピント板１０６の上にはモノクロ表示を行う透過型液晶モジュール１０５が設置される。ピント板１０６に形成された被写体の実像と透過型液晶モジュール１０５に表示された画像とを、コンデンサーレンズ１０４、ペンタプリズム１０３、接眼レンズ１０２を介して視認することが出来る。撮影時には跳ね上げミラー１０７が跳ね上がり、被写体の実像はフィルム面に直接形成され、撮影される。
【０００４】
透過型液晶モジュール１０５は、一眼レフカメラの筐体に設置した各種スイッチやシャッター釦により、被写体の撮影方法、条件等を表示することが出来る。そして、撮影方法や条件等の選定を、ファインダーを覗いて被写体を捕らえながら行うことができる。
【０００５】
また、電子カメラの背面部に、電子カメラとは別体である筐体を取り付けた電子カメラが知られている（例えば、特許文献２を参照）。電子カメラの背面部液晶表示装置に映し出された被写体の画像と、電子カメラのファインダーを介した被写体の実像とを同時に視認することが出来るというものである。この場合、筐体には新たにファインダーを設け、当該ファインダーから電子カメラのファインダーを覗くことができ、同時に、筐体に取り付けた２枚の反射板により、電子カメラ背面部の液晶表示装置に表示された画像も見ることが出来るようにしたものである。
【特許文献１】特開２０００−２５０１１９号公報
【特許文献２】特開２００４−２９７７４５号公報
【発明の開示】
【発明が解決しようとする課題】
【０００６】
ファインダーで覗いた状態で、記録された撮影画像を液晶表示素子で確認することができる機能と、撮影時に設定する撮影条件等の表示や、設定方法や取り扱い方法の説明等の表示を行う機能とを同じ液晶表示素子により実行する場合に、従来公知によるカメラは以下の課題があった。
【０００７】
特許文献１に記載されたカメラでは、カラー表示を行うことができないので、撮影しようとする、或いは、既に撮影したカラー実像を、これに組み込んだ透過型液晶モジュールにより表示させることができない、という課題がある。また、通常の方法によるカラー表示は、液晶パネルの各画素に赤色（Ｒ）、緑色（Ｇ）、青色（Ｂ）のカラーフィルターを形成する方式であるために、液晶パネルを透過する光の光量が減少する。そのためにこの種の液晶パネルをファインダー光学系に組み込んだ場合、ピント板に形成された実像の視認性が悪化する、という課題があった。
【０００８】
また、特許文献２に記載されたカメラでは、電子カメラの背面部に筐体を取り付けるものであるために、カメラとしての堅牢性が劣ること、また、筐体を取付けたカメラ全体が大きくなり、カメラの小型化が困難であること、等の課題があった。
【課題を解決するための手段】
【０００９】
上記の課題を解決するために、本発明の一眼レフカメラは、撮像レンズを介して被写体の実像を結像させるための表面を有する光拡散板と、光拡散板の表面近傍に配置されたフィールドシーケンシャル方式の液晶表示素子と、光拡散板の表面に結像した実像と液晶表示素子による表示を視認可能とする接眼レンズとを備えた構成のファインダー光学系を持っている。そして、カラー表示を行うための複数の色の光を発光する光源から液晶表示素子を照射するように構成されている。
【発明の効果】
【００１０】
フィールドシーケンシャル方式による液晶表示素子をファインダー光学系に組み込むことにより、カラー表示による情報表示又は画像表示を被写体の実像と同時に視認することが出来る。また、フィールドシーケンシャル方式による液晶表示素子は白黒液晶表示素子と同程度の光の透過率を有するので、被写体の実像を容易に視認することが出来る。
【発明を実施するための最良の形態】
【００１１】
本発明の一眼レフカメラは、撮像レンズを介して被写体の実像を結像する光拡散板と、この光拡散板の表面近傍に配置した液晶表示素子と、光拡散板の表面に結像した実像と液晶表示素子に表示した画像を視認するための接眼レンズとを備えた構成のファインダー光学系を有している。さらに、撮像レンズと液晶表示素子との間の光路内の光束からはずれた位置に、液晶表示素子を照射する光源が設けられている。このとき、液晶表示素子は光源とともにフィールドシーケンシャル方式により駆動することができる。
【００１２】
フィールドシーケンシャル方式の液晶表示素子は、液晶表示素子が特定の色に対応する画像を表示しているフィールドの期間に特定の色の光を液晶表示素子に照射し、他の色に対応する画像を表示しているフィールドの期間に他の色の光を照射するようにし、時間混色によりカラー表示を得る方式である。そのために、各画素にカラーフィルターを使用する必要が無い。その結果、液晶表示素子の透過率を高くすることができる。
【００１３】
被写体の像は、投影レンズを介して光拡散板の光拡散面に結像される。この結像された被写体の実像は、液晶表示素子を通して液晶表示素子に表示された表示画像とともに接眼レンズにより視認される。例えば、液晶表示素子の全ての画素を透過する状態にすると、結像された被写体の実像はそのまま視認できる。液晶表示素子に何らかの情報が表示されていると、表示情報と結像された被写体の実像が合成されて視認できる。この場合、液晶表示素子はカラーフィルターを使用していないので表示情報はモノクロ表示となる。モノクロ表示であるため、液晶表示素子への画像表示には、フィールドシーケンシャル方式による駆動を使用しなくてもよい。しかし、透過率の高い液晶表示素子であるために、被写体の実像も明るく視認できる。
【００１４】
また、本発明の一眼レフカメラは、複数色の光を発光する光源を備えている。例えば、Ｒ、Ｇ、Ｂの各色のＬＥＤ素子を持つ光源を備えている。光源は、撮像レンズと液晶表示素子の第一偏光板との間の光路内の光束からはずれた位置にある。そして、光源から放射される光束の広がりが、液晶表示素子を照射し光拡散板により拡散されて、コンデンサーレンズ、ペンタプリズム、接眼レンズを介して液晶表示素子の画像を視認できる。
【００１５】
例えば、液晶表示素子がＲの色の対応する画像を表示しているＲフィールドの期間に、光源はＲのＬＥＤを発光させ、液晶表示素子がＧの色に対応する画像を表示しているＧフィールドの期間に、光源はＧのＬＥＤを発光させ、液晶表示素子がＢの色に対応する画像を表示しているＢフィールドの期間に、光源はＢのＬＥＤを発光させ、これを短期間に順次繰り返す。その結果、ファインダーを覗く人間の目には、時間混色によりフルカラーの画像として認識することができる。
【００１６】
この光源を使用したフィールドシーケンシャル方式のカラー画像は、投影レンズを介して光拡散板に結像された被写体の像と合成して視認される事も可能となる。この場合、被写体の像を優先して視認するか、または液晶表示素子で表示するカラー画像を優先して視認するかは、光源の明るさを調整することで選択できる。さらに、液晶表示素子で表示するカラー画像だけを視認したい場合は、光源を液晶表示素子の第一偏光板と跳ね上げミラーの間の光路内の光束からはずれた位置に配置し、跳ね上げミラーを閉じればよい。
【００１７】
光拡散板はピント板の機能として被写体の実像を結像する機能と、光源からの光束を拡散させて、コンデンサーレンズ、ペンタプリズム、接眼レンズを介して画像の明るさを均一にして見せる機能を併せ持っている。従って、光拡散板は液晶表示素子とできるだけ近接して配置されることで、コンデンサーレンズ、ペンタプリズム、接眼レンズからなる光学系に対してディフォーカス量を最小にする事が可能である。
【００１８】
更に、空気層を介さず光拡散板と液晶表示素子を密着させて配置することで、光拡散板と液晶表示素子の空気との界面からのフレネル反射を低減でき、明るさを改善できる。例えば、光拡散板は、光透過性の無着色粒子を分散含有して光拡散性を示す光透過性の粘着層からなり、液晶表示素子の透明基板と偏光板の貼り合わせに使用する透明糊と兼用することも可能であり、よりディフォーカス量を最小にする事ができる。光拡散板の機能を液晶表示素子のセル内部に設けてもよい。
【００１９】
また、光源と液晶表示素子との間の光路内であって、撮像レンズと液晶表示素子との間の光路外の位置に第一偏光板を配置することとした。これにより、投影レンズを介して光拡散板に結像された被写体の像を明るくすることができる。偏光板は特定方向の電界ベクトルを有する光を透過し、これと直交する電界ベクトルを有する光の透過を遮断する性質を有する。そのために、あらゆる方向の電界ベクトルを有する自然光に対して、偏光板の透過率は約１／２となる。偏光板は、液晶表示素子に表示された画像を視覚化するために必要であるが、被写体の実像を光拡散板に結像させるのに何ら機能しない。従って、透過光量が減少する第一偏光板を被写体の実像を形成する光路に含まれないようにする。これにより、光拡散板に結像する実像の明るさが減少することを防ぐことができる。例えば、光源からの光を跳ね上げミラーを介して光拡散板に照射する場合には、第一偏光板を光源と跳ね上げミラーとの間の光路に挿入する。
【００２０】
液晶表示素子に表示された画像を視認するためには、液晶表示素子とこれを見る人間の目との間に第二偏光板を挿入する必要がある。しかし、上述のように偏光板は自然光に対する透過率が約１／２となる。被写体の実像が結像して光拡散板により拡散された光は、撮像レンズと光拡散板との間に偏光板が介在しない限り、自然光となる。そのために、光拡散板以降の光路に偏光板が挿入されると、光量が減少する。従って、液晶表示素子に表示を行わない場合や液晶表示素子に表示された画像を見る必要が無いときは、第二偏光板を光路から取り外すことができるようにする。これにより、光拡散板に結像した被写体の実像を、光量が減少しないようにして視認することができる。
【００２１】
この第二偏光板を光路に設置したり取り外したりすることと同等の効果を得るための構成として、第二偏光板の代わりに、ゲスト・ホストモードの液晶セルを配置して、この液晶セルを非吸収状態と吸収状態に切り替えることが例示できる。この方式では、投影レンズを介して光拡散板に結像された被写体の像を明るく見る場合は、ゲスト・ホストモードの液晶セルを非吸収状態にし、光源を使用したフィールドシーケンシャル方式のカラー画像と同時に投影レンズを介して光拡散板に結像された被写体の像を見る場合は、ゲスト・ホストモードの液晶セルを吸収状態にして使用する。これによりカメラの使用者は、撮影条件によって、ゲスト・ホストモードの液晶セルの状態を選択することで、被写体の像を明るく見る場合や記録済みの画像をフィールドシーケンシャル方式のカラー画像で確認する場合など、状況によって最適な視認性を選択できるようになる。
【００２２】
一方、液晶表示素子に近接した光拡散板にピント板の機能を持たせる構造にすると、被写体の実像にモアレ縞が発生することがある。これは、液晶表示素子の画素部分が離散的であるために、結像した画像に空間周波数成分が似た成分を持っていると発生しやすい。これを防止するために、液晶表示素子の撮像レンズ側に、サバール板を単独あるいは積層して用いればよい。このサバール板として１枚の水晶板を用いた場合には、入射光をその複屈折を利用して２点ボケにしたり、さらに光軸の周りに回転させた水晶板の積層により２点像を４点像にしてぼかしたりする働きをする。即ち、このように入射光をぼかすことにより、画像情報の空間周波数の高い成分を除去でき、液晶表示素子の画素ピッチとの干渉で発生するモアレ縞の問題を回避することができる。
【００２３】
また、カメラファインダーとしては、ピント板の被写体画像の特定の場所にインジケーターとして、特定の１色で表示する場合がある。この場合、Ｒ、Ｇ、Ｂの３色の光源を使用しフィールドシーケンシャル方式で実現しようとすると、ピント板の被写体画像エリアは白表示にする必要があるので、Ｒ、Ｇ、Ｂの３色の光が照射されることになる。その結果ピント板の被写体画像はコントラストの悪い画像になってしまう。
【００２４】
これを防止するために、光源は特定の１色のみで発光させ、特定の１色に対応する画像を表示しているフィールドの期間以外のフィールド期間に、撮像レンズを介して被写体の実像を拡散板に結像させ、光源の特定の１色に対応する画像と撮像レンズを介した被写体の実像を、時間混色により合成表示するようにした。この場合、特定の１色に対応する画像を表示している表示画素以外は黒表示にしてピント板の被写体画像に混色しないようにする。特定の１色に対応する画像を表示しているフィールドの期間以外のフィールド期間のピント板の被写体画像表示エリアは白表示にする。これにより、ピント板の被写体画像の特定の場所にインジケーターとして、特定の１色で表示することができるようになる。以下、本発明の実施例について、図面により詳細に説明する。
【実施例１】
【００２５】
図１は、本実施例の一眼レフカメラ１を表す模式図である。被写体の実像は、撮像レンズ８を介して跳ね上げミラー９により反射されてファインダー光学系１１に入射される。撮像時には、跳ね上げミラー９が跳ね上がり、実像が撮像素子１０に結像して、図示しない記憶手段に記憶される。一眼レフカメラ１はその他に、カメラ全体の動作を制御するためのＣＰＵ、ストロボの動作を制御するストロボ制御手段、被写体の照度を検出するための照度検出手段、シャッター速度等を演算するための演算手段、シャッター速度を制御するためのシャッター速度制御手段、被写体の焦点を検出し、撮像レンズ８の位置調節を行うレンズ可動手段、操作方法や撮影条件を記憶するガイダンス記憶手段等を有する。
【００２６】
ファインダー光学系１１は、光拡散板６と、光源７と、フィールドシーケンシャル方式による液晶表示素子５と、光拡散板６に結像した実像と液晶表示素子５に表示された表示画像とを集光するコンデンサーレンズ４と、光路を変更するペンタプリズム２と、被写体の実像と液晶表示素子５の表示画像とを視認するための接眼レンズ３とから構成されている。液晶表示素子５は、第一偏光板２０ｐと光拡散板６と第二偏光板２０ａにより挟まれている。
【００２７】
一眼レフカメラ１では、次のようにして被写体を撮像する。被写体の像は、撮像レンズ８を介して跳ね上げミラー９により反射され、光拡散板６の光拡散面に結像する。この結像した実像を、液晶表示素子５、ペンタプリズム２及び接眼レンズ３を通して視認する。一方、光源７から発光した複数色の光は、跳ね上げミラー９により反射され、液晶表示素子５を照射する。液晶表示素子５と光源７は同期して駆動される。例えば、液晶表示素子５が赤（Ｒ）の色に対応する画像を表示しているＲフィールドの期間に、光源７は赤色の光を発光し、緑（Ｇ）の色に対応する画像を表示しているＧフィールドの期間に、緑色の光を発光し、青（Ｂ）の色に対応する画像を表示しているＢフィールドの期間に、青色の光を発光する。これを短時間で繰り返すことにより、コンデンサーレンズ４、ペンタプリズム２及び接眼レンズ３を介して、カラー画像として視認することができる。
【００２８】
撮像しようとする際に撮像方法や撮像条件を液晶表示素子５に表示させ、被写体の実像を捕らえながら必要な条件を設定することができる。また、既に撮影して記憶手段により記憶された画像を、液晶表示素子５に表示させて確認することもきる。また、光源７を点灯せずに、実像に液晶表示素子５の表示を上書きすることができる。この場合は、白黒表示となる。液晶表示素子５はフィールドシーケンシャル方式であるので透過率が高く、カラーフィルターを用いた液晶表示素子と比較して、光拡散板に結像した被写体の明るさを落とすことなく視認することができる。
【００２９】
また、被写体の明るさを照度検出手段により検出し、被写体の照度に応じて光源７の発光強度を制御することができる。被写体が暗く光源７が明るい場合には、光拡散板６に結像した実像がかき消され、逆に被写体が明るく光源７が暗い場合には、液晶表示素子５に表示された画像が見えにくくなるので、これを防止することができる。
【００３０】
図２は、フィールドシーケンシャル方式の液晶表示素子５の動作を説明するための模式的な回路ブロック図であり、図３は、液晶表示素子５及び光拡散板６の模式的な断面図である。同一の機能又は部材は同一の符号を付した。
【００３１】
図３に示すように、液晶表示素子５は、対向する透明基板２１と対向基板２４との間に液晶層２３が挟持された構造である。液晶材料にはネマティック液晶が用いられている。ネマティック液晶の液晶分子は、例えば対向基板２４の表面近傍においては紙面と垂直方向に配向され、透明基板２１の表面近傍においては紙面と水平方向に配向している。従って、液晶層２３は約９０°のねじれ構造を有する。液晶表示素子５は、第一偏光板２０ｐと第二偏光板２０ａにより挟まれている。第一偏光板２０ｐの偏光方向は概ね透明基板２４の表面の液晶分子の配向方向と一致させ、第二偏光板２０ａの偏光方向は概ね透明基板２１の表面の液晶分子の配向方向に一致させている。これにより、第一偏光板２０ｐを通過した光は液晶層２３により約９０°回転し、第二偏光板２０ａの偏光方向と一致するので、第二偏光板を通過することができる。
【００３２】
透明基板２１の内面には液晶層２３に電界を印加するための共通電極２２が形成されている。対向基板２４の内面には、画素電極１９及びこの画素電極１９に画像信号を供給するための信号電極１７が形成されている。共通電極２２と画素電極１９はＩＴＯなどからなる透明電極により構成されている。画素電極１９と共通電極２２に挟まれた液晶層２３が、共通電極２２与えられるコモン信号と画素電極１９に与えられる画像信号との間の電位差の電圧が印加されて駆動される。即ち、液晶層２３に印加される電圧が閾値電圧より高い場合には、液晶層２３の液晶分子が垂直方向に立ち上がり、第一偏光板２０ｐにより偏光された光は光の電界方向を回転させること無く第二偏光板に到達する。その結果、第二偏光板２０ａにより遮断される。
【００３３】
光拡散板６は、光透過性の無着色粒子２５を分散含有して光拡散性を示す光透過性の粘着層２６からなり、対向基板２４と第一偏光板２０ｐを、空気層を介さず接着する作用も備え合わさるようにしている。光拡散板６はピント板の機能を有する。即ち、撮像レンズ８を通過し、跳ね上げミラー９により反射された被写体の実像は、この光拡散板６に結像する。
【００３４】
粘着層２６の形成には、光透過性を示す適宜な粘着性物質を用いることができ、その種類について特に限定はない。ちなみに粘着性物質の例としては、ゴム系粘着剤やアクリル系粘着剤、シリコーン系粘着剤やビニルアルキルエーテル系粘着剤、ポリビニルアルコール系粘着剤やポリビニルピロリドン系粘着剤、ポリアクリルアミド系粘着剤やセルロース系粘着剤などがあげられる。無着色粒子２５としては、無色透明性の適宜なものを用いうる。ちなみにその例としては、シリカやアルミナ、チタニアやジルコニア、酸化錫や酸化インジウム、酸化カドミウムや酸化アンチモン等の導電性のこともある無機系粒子、架橋又は未架橋の各種ポリマー等からなる有機系粒子などがあげられる。
【００３５】
光拡散板６のヘイズ値は無着色粒子２５の粒径や粘着層２６の屈折率の調整により制御可能である。ヘイズ値が８５%を超えるような強い拡散では、コンデンサーレンズ４、ペンタプリズム２及び接眼レンズ３を介して視認する光学系の光利用効率が低下して暗くなる。逆にヘイズ値が６０%以下の低拡散になると、直進透過率が上がって画面の中心のみ明るく周辺が暗くなる不具合が発生する。光学系にあわせて適宜な調整を行えばよい。光拡散板６としては、感光性樹脂に拡散を示すような二次元分布で露光され、屈折率分布により適度な拡散を示すような樹脂や、体積ホログラム、レインボーホログラムなどが利用できる。
【００３６】
図２に示すように、対向基板２４の液晶層２３側の表面には、多数の走査電極１６と多数の信号電極１７が形成されている。また、走査電極１６と信号電極１７の各交差部に、画素電極１９と能動素子であるＴＦＴ１８が形成されている。ＴＦＴは、ソースが信号電極１７に、ドレインが画素電極１９に、ゲートが走査電極１６に接続している。そして、走査電極１６に走査信号が与えられたときに、ソースとドレインとを接続して信号電極に与えられた画像信号を画素電極１９に供給する。走査電極１６に対して走査ドライバ１４から走査信号が与えられ、信号電極１７に対して画像信号が信号ドライバ１３から与えられる。また、光源７には赤色を発光するＲ−ＬＥＤ１５ｒと、緑色を発光するＧ−ＬＥＤ１５ｇと、青色を発光するＢ−ＬＥＤ１５ｂが含まれている。制御回路１２は走査ドライバ１４、信号ドライバ１３及び光源７を制御する。
【００３７】
液晶表示素子５及び光源７は、具体的に次のようにして駆動される。まず、制御回路１２により赤色を表示するＲフィールドが開始される。制御回路１２は光源７の赤ＬＥＤ１５ｒを発光させて液晶表示素子５に赤色を照射する。そして、走査ドライバ１４は線順次に一本ずつ走査電極１６を選択して走査信号を与える。その走査電極１６が選択されている期間に信号ドライバ１３により信号電極１７に赤色に対応する画像信号が与えられる。走査ドライバ１４は、順次走査電極１６を選択して対応する各画素電極１９に赤色に対応する画像信号を書き込む。全ての走査電極１６の走査を終了した後に、次のＧフィールドが開始される。上記と同様に、光源７の緑ＬＥＤ１５ｇが緑色の光を発光して液晶表示素子５へ照射され、走査ドライバ１４により順次走査電極１６が選択され、その選択されている期間に信号ドライバ１３により緑色に対応する画像信号が各信号電極１７に与えられて各画素電極１９に書き込まれる。同様に次のＢフィールにおいては、光源７の青ＬＥＤが青色の光を発光し、各画素電極１９に青色に対応する画像信号が書き込まれる。これを高速で繰り返すことにより、ファインダーから見る液晶表示素子５に表示された画像は、時間混色されたフルカラーの画像として認識されることになる。
【００３８】
なお、本実施例では、液晶表示素子５として各画素電極１９にＴＦＴを設けたアクティブ液晶表示素子を使用する例について説明したが、画素数が少ない場合でも許容できる場合には、単純マトリクス型の液晶表示素子５をフィールドシーケンシャル方式により駆動させてもよい。単純マトリクス液晶表示素子の場合には、一方の透明基板２１の内面に多数のストライプ状透明電極を形成し、他方の対向基板２４の内面には、上記一方の透明基板２１のストライプ状透明電極と直交する方向に、多数のストライプ状透明電極を形成する。そして、これら電極の交差部を画素として、フィールドシーケンシャル方式により駆動させることができる。
【００３９】
図６は、本発明の一眼レフカメラの他の実施例を表す模式図である。同一の機能、部材は同一の符号により表す。被写体の実像は、撮像レンズ８を介して跳ね上げミラー６により反射され、光拡散板６に結像される。ファインダー光学系１１は、光拡散板６、液晶表示素子５、コンデンサーレンズ４、ペンタプリズム２、ゲスト・ホストモードの液晶セル２９、接眼レンズ３を含み、光源７と液晶表示素子５との間の光路内であって、撮像レンズ８と液晶表示素子５との間の光路外の位置に第一偏光板２０ｐを配置する。
【００４０】
つまり、第一編光板２０ｐは、被写体から撮像レンズ８を介して光拡散板６に結像する実像の光路には挿入されていない。即ち、被写体からの実像は偏光板によって光量が減衰されない。そのために、明るい実像を光拡散板６に結像させることができる、という利点を有する。なお、第一偏光板２０ｐは被写体の光拡散板６までの光路に含まれないようにすればよいので、跳ね上げミラー６と光源７との間の光路であれば、どの位置に挿入してもよい。
【００４１】
また、第二編光板２０ａの機能は、ゲスト・ホストモードの液晶セル２９に置き換えられているので、液晶表示素子５による表示を行わない場合や、液晶表示素子５に画像を表示させている場合でも、ゲスト・ホストモードの液晶セル２９を非吸収状態にすれば、液晶表示素子５に表示された画像を視認することができない。これは、第二偏光板２０ａを光路から除去したことにほぼ相当し、光の減衰がないので、拡散板６に結像された被写体の実像は、より鮮明に視認することができるようになる。
【００４２】
一方、液晶表示素子５による表示を行う場合は、ゲスト・ホストモードの液晶セル２９を吸収状態にすればよい。これは、第二偏光板２０ａを光路に挿入したことにほぼ相当するので、記録済みの画像をフィールドシーケンシャル方式のカラー画像で鮮明に視認することができるようになる。
【００４３】
ゲスト・ホストモードの液晶セル２９は、P型の液晶材料にゲストとして黒色の二色性色素を加えて液晶材料を平行配向した液晶セルに注入する。電圧無印加で配向方向に吸収軸を持つ偏光板として機能する。電圧印加では液晶分子と二色性色素が電界方向と平行に立ち上がり特定方向の吸収が無くなり、偏光板の機能が失われる。従って、カメラの使用者は、撮影条件によって、ゲスト・ホストモードの液晶セルの状態を選択することで、被写体の像を明るく見る場合や記録済みの画像をフィールドシーケンシャル方式のカラー画像で確認する場合など、状況によって最適な視認性を選択できるようになる。
【００４４】
この方式での液晶表示素子５は偏光板を貼られていなく，図４に示すように、透明基板２１の上面には拡散板６を配置している。光拡散板６は、光透過性の無着色粒子２５を分散含有して光拡散性を示す光透過性の粘着層２６からなり透明基板２７によって保護されている。また、対向基板２４の下側に配置してもよい。
【００４５】
また、図５は図４の構成にサバール板２８を配置した構成を示す。水晶板を用いたサバール板２８では、その複屈折率異方性Δｎ（＝ｎｅ −ｎ０ ）が0.0091であるため、液晶表示素子５のモアレ縞を除去するためには１枚当たり数ｍｍ程度の厚みを必要とする。複屈折率異方性の大きな材料として液晶（Δｎ＝ｎｅ −ｎ０ ≒0.10〜0.25）を用いることにより、その厚みを低減できる。望ましくはフィルム基板で液晶セルを構成した液晶サバール板を使用することで、対向基板２４に容易に接着できるようになる。図６に示した液晶表示素子５及び光源７の駆動は、既に説明したと同様に行うことができる。
【００４６】
また、上述の実施例では、Ｒ、Ｇ、Ｂによるカラー表示について説明したが、これを２色のカラー表示による表示としてもよいし、更に多くの色を用いてもよい。更に、カメラファインダーとして用いる場合、あるいは、ピント板の被写体画像の特定の場所にインジケーターとして用いる場合には、特定の１色で表示するように駆動することもある。光源は特定の１色のみで発光させ、特定の１色に対応する画像を表示しているフィールドの期間以外のフィールド期間に、撮像レンズを介して被写体の実像を拡散板に結像させ、光源の特定の１色に対応する画像と撮像レンズを介した被写体の実像を、時間混色により合成表示するようにした。この場合、特定の１色に対応する画像を表示している表示画素以外は黒表示にしてピント板の被写体画像に混色しないようにする。特定の１色に対応する画像を表示しているフィールドの期間以外のフィールド期間のピント板の被写体画像表示エリアは白表示にする。これにより、ピント板の被写体画像の特定の場所にインジケーターとして、特定の１色で表示することができるようになる。
【図面の簡単な説明】
【００４７】
【図１】本発明の一眼レフカメラを説明するための模式図である。
【図２】フィールドシーケンシャル方式による液晶表示素子の動作を説明するための模式的な回路ブロック図である。
【図３】本発明の一眼レフカメラの液晶表示素子と光拡散板を模式的に示す断面図である。
【図４】本発明の一眼レフカメラの液晶表示素子と光拡散板を模式的に示す別の例の断面図である。
【図５】本発明の一眼レフカメラの液晶表示素子と光拡散板とサバール板を模式的に示す断面図である。
【図６】本発明の一眼レフカメラを説明するための模式図である。
【図７】従来公知の一眼レフカメラの構成を示す模式図である。
【符号の説明】
【００４８】
１  一眼レフカメラ
２  ペンタプリズム
３  接眼レンズ
４  コンデンサーレンズ
５  液晶表示素子
６  光拡散板
７  光源
８  撮像レンズ
９  跳ね上げミラー
１０  撮像素子
１１  ファインダー光学系
【図１】
2008076459.tif 000003
【図２】
2008076459.tif 000004
【図３】
2008076459.tif 000005
【図４】
2008076459.tif 000006
【図５】
2008076459.tif 000007
【図６】
2008076459.tif 000008
【図７】
2008076459.tif 000009